(57)【特許請求の範囲】
【請求項１】
フッ素含有液およびカルシウム塩からフッ化カルシウムを製造する方法であって、
第一フッ素含有液とカルシウム塩とを混合する第一工程、
第一工程で生成したスラリーを固液分離する第二工程、
第二工程で分離された固体成分と、ＣａＦ２を主成分として含む混合物と、第二フッ素含有液とを混合し、第二フッ素含有液に含まれるフッ素とカルシウム塩とを反応させる第三工程、および、
生成したスラリーを固液分離する第四工程
を含み、
（ｉ）第一フッ素含有液、および第二フッ素含有液に含まれるフッ素の濃度が５００ｍｇ／Ｌ以上、１５０００ｍｇ／Ｌ以下であり、および、
（ｉｉ）第一工程において使用するカルシウム塩の量が、第一工程で使用する第一フッ素含有液中のフッ素に対して０．７０モル当量以上、０．９９モル当量以下であること
を特徴とする、方法。
【請求項２】
第一フッ素含有液、および第二フッ素含有液に含まれるフッ素の濃度が、１０００ｍｇ／Ｌ以上、５０００ｍｇ／Ｌ以下である、請求項１に記載のフッ化カルシウムを製造する方法。
【請求項３】
前記第一工程において使用するカルシウム塩の量が、第一工程で使用する第一フッ素含有液中のフッ素に対して０．９０モル当量以上、０．９９モル当量以下である、請求項１または２に記載の方法。
【請求項４】
前記第三工程において、第二フッ素含有液に含まれるフッ素とカルシウム塩とをｐＨ２〜５で反応させる、請求項１〜３のいずれかに記載の方法。
【請求項５】
前記第一工程において使用するカルシウム塩が、水酸化カルシウム、塩化カルシウムおよび炭酸カルシウムから選択される１種またはそれ以上のカルシウム塩である、請求項１〜４のいずれかに記載の方法。
【請求項６】
前記第一工程において使用するカルシウム塩が、水酸化カルシウムおよび塩化カルシウムから選択される１種またはそれ以上のカルシウム塩である、請求項１〜５のいずれかに記載の方法。
【請求項７】
製造されたフッ化カルシウムの純度が９０％以上である、請求項１〜６のいずれかに記載の方法。
【請求項８】
製造されたフッ化カルシウムに含まれる炭酸カルシウムおよび水酸化カルシウムの合計が２重量％以下である、請求項１〜７のいずれかに記載の方法。
【発明の詳細な説明】
【技術分野】
【０００１】
本発明は、高純度のフッ化カルシウムを製造する方法に関する。
【背景技術】
【０００２】
フッ化水素の工業的製造方法として、一般的に、フッ化カルシウムと硫酸の反応が知られている。フッ化カルシウムと硫酸を反応させてフッ化水素を製造する際、以下の反応が起こる。
ＣａＦ２  ＋  Ｈ２ＳＯ４  →  ２ＨＦ  ＋  ＣａＳＯ４  ・・・  （１）
【０００３】
現在、フッ化水素を製造する際の原料として、天然蛍石が使用されることが多い。しかし、天然蛍石の枯渇の懸念、価格の高騰、安定な供給への不安等から、別のＣａＦ２供給源を確保することが望まれている。
【０００４】
一方、工場等から排出されるフッ素含有廃水中のフッ素の濃度を排水基準値以下にするために、廃水中のフッ素とカルシウム源（例えばカルシウム塩）を反応させてフッ化カルシウムとして固定化し、除去する方法が知られている（特許文献１〜３）。
【０００５】
このような状況下、新たなＣａＦ２供給源として、上記のフッ素含有廃水から得られるフッ化カルシウムが注目されている。
【先行技術文献】
【特許文献】
【０００６】
【特許文献１】特開２０１３−６０３３０号公報
【特許文献２】特開２０１２−１４８２６５号公報
【特許文献３】特開２０１５−７４５７５号公報
【発明の概要】
【発明が解決しようとする課題】
【０００７】
フッ化カルシウムに炭酸カルシウム、水酸化カルシウム等の不純物が含まれている場合、これらの不純物は、以下の化学反応式に示すように、硫酸と反応して水などの副生成物を生じる。
ＣａＣＯ３  ＋  Ｈ２ＳＯ４  →  ＣａＳＯ４  ＋  ＣＯ２  ＋  Ｈ２Ｏ・・・（２）
Ｃａ（ＯＨ）２  ＋  Ｈ２ＳＯ４  →  ＣａＳＯ４  ＋  ２Ｈ２Ｏ      ・・・（３）
【０００８】
上記化学反応式（２）および化学反応式（３）に従い水が生成した場合、製造装置内部に存在しているフッ化カルシウム、硫酸、および硫酸カルシウム等の混合物が、副生成物の水と混ざり、粘度の大きいペースト状の混合物（以下、「ペースティー」と言う）となる。これらのペースティーが装置内部に付着し、金属材料を腐食するため、装置寿命が短くなる原因となる。したがって、水の生成を抑制するために、フッ化水素の原料として用いるフッ化カルシウムは、ＣａＦ２純度の高いものが好ましい。
【０００９】
ＣａＦ２純度の高いフッ化カルシウムを得る方法として、様々な方法が知られている。例えば、特許文献１には、フッ素濃度が５００００ｍｇ／Ｌ以上のフッ素含有水中のフッ素と炭酸カルシウムを反応させることにより、フッ化カルシウムを得る方法が記載されている。また、特許文献２には、フッ素含有水に含まれるフッ素に対して、過剰量の石灰類を加え、高純度化工程を経て、フッ化カルシウムを得る方法が記載されている。さらに、特許文献３には、フッ素含有廃水を処理することにより得られたＣａＦ２純度の低いフッ化カルシウムを用いて、これを塩酸およびフッ酸を含む水溶液に溶解し、酸性領域でフッ化カルシウム粒子を析出させる方法が記載されている。
【００１０】
しかし、特許文献１に記載の方法では、フッ素含有水に含まれるフッ素濃度が比較的低濃度の場合、高純度のフッ化カルシウムを得ることができないという問題がある。また、特許文献２および３に記載の方法では、フッ素含有廃水と生成したフッ化カルシウムとを分離し、廃水またはフッ化カルシウムを最初の工程に返送する等、比較的操作が煩雑であるという問題がある。
【００１１】
本発明は、比較的簡便な方法を用いて、フッ素濃度の低いフッ素含有液から純度が高いフッ化カルシウムを製造する方法を提供することを目的とする。
【課題を解決するための手段】
【００１２】
本発明者らは、鋭意検討した結果、フッ素含有液中のフッ素に対して１モル当量以下のカルシウム塩を添加し、得られた純度の低いフッ化カルシウムと新たなフッ素含有液とを混合することにより、フッ素含有量が低い液から、純度の高いフッ化カルシウムを製造することができることを見出し、本発明を完成するに至った。
【００１３】
本発明の第一の要旨によれば、
フッ素含有液およびカルシウム塩からフッ化カルシウムを製造する方法であって、
第一フッ素含有液とカルシウム塩とを混合する第一工程、
第一工程で生成したスラリーを固液分離する第二工程、
第二工程で分離された固体成分と第二フッ素含有液とを混合し、第二フッ素含有液に含まれるフッ素とカルシウム塩とを反応させる第三工程、および、
第三工程で生成したスラリーを固液分離する第四工程
を含み、
（ｉ）第一フッ素含有液、および第二フッ素含有液に含まれるフッ素の濃度が５００ｍｇ／Ｌ以上、１５０００ｍｇ／Ｌ以下であり、および、
（ｉｉ）第一工程において使用するカルシウム塩の量が、第一工程で使用する第一フッ素含有液中のフッ素に対して０．７０モル当量以上、０．９９モル当量以下であること
を特徴とする方法が提供される。
【００１４】
本発明の第二の要旨によれば、
フッ素含有液およびカルシウム塩から反応させてフッ化カルシウムを製造する方法であって、
第一フッ素含有液とカルシウム塩とを混合する第一工程、
第一工程で生成したスラリーを固液分離する第二工程、
第二工程で分離された固体成分と、ＣａＦ２を主成分として含む混合物と、第二フッ素含有液とを混合し、第二フッ素含有液に含まれるフッ素とカルシウム塩とを反応させる第三工程、および、
生成したスラリーを固液分離する第四工程
を含み、
（ｉ）第一フッ素含有液、および第二フッ素含有液に含まれるフッ素の濃度が５００ｍｇ／Ｌ以上、１５０００ｍｇ／Ｌ以下であり、および、
（ｉｉ）第一工程において使用するカルシウム塩の量が、第一工程で使用する第一フッ素含有液中のフッ素に対して０．７０モル当量以上、０．９９モル当量以下であること
を特徴とする方法が提供される。
【発明の効果】
【００１５】
本発明によれば、従来廃棄処分されていた、フッ素イオン濃度の低いフッ素含有液を用いて、純度の高いフッ化カルシウムを得ることができる。
【発明を実施するための形態】
【００１６】
以下、本発明の実施形態について説明する。
【００１７】
本発明の方法は、連続式およびバッチ式のいずれで実施してもよく、特段の断りのない限り、以下の説明は連続式およびバッチ式の両方に当てはまる。
【００１８】
（実施形態１）
本実施形態は、本発明の第一の要旨によるフッ化カルシウムの製造方法に関する。
【００１９】
本発明の方法において、フッ素含有液とは、フッ素イオンまたはフッ素イオンを放出し得る化合物を含む液体を意味する。フッ素含有液は、化合物が完全に溶解した溶液に限定されず、一部が溶解されていないもの、例えば懸濁液、乳濁液等を含む。フッ素含有液の溶媒は、水であっても、エチルメチルカーボネート、メチルエチルカーボネート、ジメチルカーボネート等の有機溶媒であってもよいが、好ましくは水である。上記フッ素含有液としては、特に限定されないが、例えば半導体製造やその関連分野、各種金属材料、単結晶材料または光学系材料等の表面処理分野において生じるフッ素含有液、即ち、これらの製造工場および研究所等から生じるフッ素含有廃液であり得る。
【００２０】
フッ素含有液には、フッ素以外の種々の不純物が含まれていてもよく、不純物としては、例えばカルシウムイオン、塩化物イオン、ニッケルイオン、クロムイオン、タングステンイオン、コバルトイオン、鉄イオン、アルミニウムイオン、硫酸イオン、リン酸イオン、シリカ、ヒ素等の無機物質、または有機物質が挙げられる。
【００２１】
・第一工程
第一工程において、第一フッ素含有液とカルシウム塩とを混合することにより、フッ素含有液中のフッ素とカルシウム塩とが反応して、フッ化カルシウムが生成し、フッ化カルシウムの固体、典型的にはフッ化カルシウムの粒子を含むスラリーが得られる。
【００２２】
第一工程において用いられる第一フッ素含有液のフッ素濃度は、５００ｍｇ／Ｌ以上１５０００ｍｇ／Ｌ以下が好ましく、より好ましくは７００ｍｇ／Ｌ以上１００００ｍｇ／Ｌ以下であり、さらに好ましくは８００ｍｇ／Ｌ以上７０００ｍｇ／Ｌ以下であり、最も好ましくは１０００ｍｇ／Ｌ以上５０００ｍｇ／Ｌ以下である。フッ素濃度を前記下限値以上とすることにより、高純度の蛍石を得ることがより容易になる。一方、フッ素濃度を前記上限値以下とすることにより、装置の腐食がより抑制される。
【００２３】
尚、本明細書を通じて、フッ素含有液のフッ素濃度とは、フッ素イオンおよびフッ素化合物のいずれの形態で存在するかを問わず、存在し得る全フッ素元素の濃度を言う。
【００２４】
第一フッ素含有液のｐＨは、特に限定されないが、例えばｐＨ２〜５であり、好ましくはｐＨ２〜４、さらに好ましくはｐＨ２〜３である。第一フッ素含有液のｐＨを上記の範囲とすることにより、より純度の高いフッ化カルシウムを得ることができる。
【００２５】
本発明におけるカルシウム塩とは、カルシウムを含む塩であれば特に限定されず、例えば、炭酸カルシウム、水酸化カルシウム、塩化カルシウム等が挙げられる。好ましくは水酸化カルシウムまたは塩化カルシウムを用いることができる。水酸化カルシウムまたは塩化カルシウムを用いることにより、得られるフッ化カルシウムの純度をより高くすることができる。カルシウム塩は１種のみ使用することもでき、２種以上のカルシウム塩を組み合わせて使用してもよい。
【００２６】
用いられるカルシウム塩の態様は特に限定されず、例えば、カルシウム塩は、粉末状または粒子状で使用してもよいし、カルシウム塩を溶媒に溶解し、溶液、スラリー、懸濁液として使用してもよい。取り扱いが容易なことから、好ましくは、カルシウム塩は溶液、スラリー、懸濁液の状態で用いられる。
【００２７】
カルシウム塩の粉末の粒径は、好ましくは８０μｍ以下、より好ましくは６０μｍ以下、さらに好ましくは３０μｍ以下である。カルシウム塩の粒径を、８０μｍ以下とすることにより、カルシウム塩のフッ素含有液への溶解性がより向上する。また、カルシウム塩の粉末の粒径は、好ましくは１μｍ以上、より好ましくは３μｍ以上、さらに好ましくは５μｍ以上である。カルシウム塩の粒径を、１μｍとすることにより、取り扱いが容易になる。
【００２８】
第一工程において使用するカルシウム塩の量は、第一工程で使用する第一フッ素含有液中のフッ素に対して、好ましくは０．７０モル当量以上０．９９モル当量以下であり、より好ましくは０．８０モル当量以上０．９９モル当量以下であり、さらに好ましくは０．８５モル当量以上０．９９モル当量以下であり、最も好ましくは０．９０モル当量以上０．９９モル当量以下、例えば０．９０モル当量以上０．９８モル当量以下である。カルシウム塩の量を前記下限値よりも大きくすることにより、より効率的に高純度のフッ化カルシウムを得ることができる。一方、カルシウム塩の量を前記上限値よりも少なくすることにより、フッ素以外のイオンとカルシウム塩との反応による不純物の生成を抑制することができる。
【００２９】
尚、本明細書を通じて、カルシウム塩のモル当量とは、フッ素イオン（Ｆ−）とカルシウムイオン（Ｃａ２＋）との反応を基準とした当量を言う。
【００３０】
第一工程における第一フッ素含有液とカルシウム塩との混合の態様として、特に限定されないが、一度に全てのフッ素含有液およびカルシウム塩を混合してもよいし、フッ素含有液および／またはカルシウム塩を複数回に分けて供給して混合してもよい。
【００３１】
第一工程において行う混合は、フッ素含有液中のフッ素とカルシウム塩が反応することが可能である方法であれば、特に限定されず、例えば撹拌、振盪等を用いることができる。
【００３２】
第一工程において、フッ素とカルシウム塩とを反応させる際のｐＨは、好ましくはｐＨ２〜５であり、より好ましくはｐＨ２〜４、さらに好ましくはｐＨ２〜３である。
【００３３】
第一工程における混合温度は、特に限定されないが、０〜６０℃であり、好ましくは１０〜５０℃、より好ましくは１５〜４０℃であり、代表的には室温（例えば、２５℃）である。カルシウム塩とフッ素との反応速度を速める観点からは、高い混合温度が好ましい。一方、エネルギー効率および装置の簡便さの観点からは、室温が好ましい。
【００３４】
第一工程における第一フッ素含有液とカルシウム塩との混合に要する時間は、フッ素含有液とカルシウム塩が十分混合され、フッ素含有液中のフッ素とカルシウム塩が十分に反応し得る時間であれば特に限定されないが、０．５分から６０分が好ましく、１分から３０分がより好ましい。
【００３５】
・第二工程
第二工程において、第一工程で得られたフッ化カルシウムを含むスラリーを固液分離し、フッ化カルシウムを含む固体成分を得る。
【００３６】
第二工程における固液分離は、生成したスラリーを溶液と固体成分とに分離することができる方法であれば特に限定されないが、濾過、沈降分離、減圧濾過、遠心分離等から適宜選択して行うことができる。
【００３７】
・第三工程
第三工程において、第二工程で得られたフッ化カルシウムを含む固体成分と、新たなフッ素含有液である第二フッ素含有液と混合して、固体成分中に残存するカルシウム塩と、第二フッ素含有液中のフッ素とを反応させる。この工程により、フッ化カルシウムの純度を高めることができる。
【００３８】
第三工程において用いられる第二フッ素含有液のフッ素濃度は、５００ｍｇ／Ｌ以上１５０００ｍｇ／Ｌ以下が好ましく、より好ましくは７００ｍｇ／Ｌ以上１００００ｍｇ／Ｌ以下であり、さらに好ましくは８００ｍｇ／Ｌ以上７０００ｍｇ／Ｌ以下であり、最も好ましくは１０００ｍｇ／Ｌ以上５０００ｍｇ／Ｌ以下である。フッ素濃度を前記下限値以上とすることにより、高純度の蛍石を得ることがより容易になる。一方、フッ素濃度を前記上限値以下とすることにより、装置の腐食がより抑制される。
【００３９】
第二フッ素含有液のｐＨは、特に限定されないが、例えばｐＨ２〜５であり、好ましくはｐＨ２〜４、さらに好ましくはｐＨ２〜３である。第一フッ素含有液のｐＨを上記の範囲とすることにより、より純度の高いフッ化カルシウムを得ることができる。
【００４０】
上記第二フッ素含有液は、第一フッ素含有液と同じものであってもよく、異なっていてもよい。一の態様において、第二フッ素含有系と第一フッ素含有液は、同じフッ素含有液である。
【００４１】
第三工程で用いられる第二フッ素含有液の量は、第一工程において用いたカルシウム塩が、第二フッ素含有液に含まれるフッ素に対して、好ましくは０．７０モル当量以上０．９９モル当量以下、より好ましくは０．８０モル当量以上０．９９モル当量以下、さらに好ましくは０．８５モル当量以上０．９９モル当量以下、最も好ましくは０．９０モル当量以上０．９９モル当量、例えば０．９０モル当量以上０．９８モル当量以下となるような量である。
【００４２】
第三工程において行う混合は、フッ素含有液中のフッ素とカルシウム塩が反応することが可能である方法であれば、特に限定されず、例えば撹拌、振盪等を用いることができる。
【００４３】
第三工程において、フッ素含有液中に含まれるフッ素とカルシウム塩とを反応させる際のｐＨは、好ましくはｐＨ２〜５であり、より好ましくはｐＨ２〜４、さらに好ましくはｐＨ２〜３である。
【００４４】
第三工程における混合温度は、特に限定されないが、０〜６０℃であり、好ましくは１０〜５０℃、より好ましくは１５〜４０℃であり、代表的には室温（例えば、２５℃）である。カルシウム塩とフッ素との反応速度を速める観点からは、高い混合温度が好ましい。一方、エネルギー効率および装置の簡便さの観点からは、室温が好ましい。
【００４５】
第三工程における第二フッ素含有液と第二工程で得られた固体成分との混合に要する時間は、フッ素含有液と固体成分が十分混合され、フッ素含有液中のフッ素と固体成分中のカルシウム塩が十分に反応し得る時間であれば特に限定されないが、０．５分から６０分が好ましく、１分から３０分がより好ましい。
【００４６】
さらに、第三工程において、第二工程で得られた固体成分と第二フッ素含有液とを混合した後、さらに中和剤と混合してよい。中和剤としては、例えば水酸化ナトリウム、水酸化カリウム、炭酸ナトリウム等が挙げられ、これらは、１種のみでまたは２種以上の混合物として使用することができる。
【００４７】
・第四工程
第四工程において、第三工程で得られたフッ化カルシウムを含むスラリーを固液分離して、固体成分、即ちフッ化カルシウムを得る。
【００４８】
第四工程における固液分離は、第二工程における固液分離と同様に行うことができる。
【００４９】
第四工程で得られた固体成分は、洗浄および乾燥してもよい。
【００５０】
本発明の方法により生成したフッ化カルシウムの純度は、好ましくは９０％以上、より好ましくは９２％以上である。
【００５１】
フッ化カルシウム中の不純物としては、特に限定されないが、例えば水酸化カルシウム、炭酸カルシウム、硫酸カルシウム等が挙げられる。
【００５２】
水酸化カルシウムまたは炭酸カルシウムが含まれているフッ化カルシウムをフッ化水素の製造原料として使用すると、炭酸カルシウムまたは水酸化カルシウムと硫酸とが、それぞれ、上記式（２）および（３）に示す反応を起こし、副生成物として水が生成する。水が生成するとペースティーが生じ、装置が腐食される原因となるため、可能な限り少ない方が好ましい。本発明で生成するフッ化カルシウムに含まれる水酸化カルシウムおよび炭酸カルシウムは、合計で、好ましくは３重量％以下、より好ましくは２重量％以下、さらに好ましくは１．５重量％以下、さらにより好ましくは１重量％以下、特に好ましくは０．５重量％以下、最も好ましくは０．３重量％以下である。
【００５３】
本発明で用いられるフッ素含有液におけるフッ素濃度、本発明で得られたフッ化カルシウムの純度および不純物濃度は、ＪＩＳＫ ０１０２記載の方法に基づいて測定することができる。
【００５４】
第一工程および第三工程においてフッ素含有液とカルシウム塩とを混合する際に使用する浴槽の材料としては、フッ素含有水に耐性がある材料であれば特に限定されず、例えばポリエチレン、ポリ塩化ビニル、ポリプロピレン、エポキシ樹脂等から適宜選択することができる。
【００５５】
（実施形態２）
本実施形態２は、第三工程において、第二工程で得られた固体成分と第二フッ素含有溶液だけでなく、さらにＣａＦ２を主成分として含む混合物をも混合すること以外は、実質的に上記した実施形態１と同じである。フッ化カルシウムを主成分として含む混合物を追加することによって、フッ化水素の製造の際に原料として使用することができない純度の低いフッ化カルシウムを有効に活用することができる。
【００５６】
フッ化カルシウムを主成分として含む混合物とは、フッ化水素の製造原料として使用できるほど高純度でないフッ化カルシウムを指す。具体的には、フッ化カルシウムを主成分として含む混合物中に含まれるフッ化カルシウムの純度は、９０質量％未満、例えば８０質量％未満または７０質量％未満であり得る。
【実施例】
【００５７】
以下に実施例を挙げて、本発明を詳細に説明するが、本発明はこれに限定されない。
【００５８】
実施例１
工程１：フッ素含有水（フッ素濃度：２２００ｍｇ／Ｌ、塩化物イオン濃度：４０００ｍｇ／Ｌ、硫酸イオン濃度：３００ｍｇ／Ｌ、カルシウムイオン濃度：１７０ｍｇ／Ｌ、カリウムイオン濃度：１０００ｍｇ／Ｌ、ケイ素イオン濃度：２８．６ｍｇ／Ｌ）（各濃度は、イオンクロマトグラフ法により測定した）４０７７ｇに、水酸化カルシウム（Ｃａ（ＯＨ）２）１７．０ｇを添加し、フッ化カルシウムを析出させて、スラリーを得た。フッ素含有水中の全フッ素量に対するカルシウムの添加量は０．９８モル当量であった。また、この反応により、反応液のｐＨは２．３から６．４になった。
【００５９】
工程２：得られたスラリーを、沈降分離法によりフッ化カルシウムを含む固体を分離した。
【００６０】
工程３：次に得られた固体を、工程１と同じ新たなフッ素含有水（Ｆ：濃度２２００ｍｇ／Ｌ）４０７７ｇに、再度添加して、次いで、ＮａＯＨで中和を行った。この反応により、反応液のｐＨは、２．３から７．０になった。
【００６１】
工程４：得られた混合物を沈降分離法により、フッ化カルシウムを含む固体を分離した。
【００６２】
実施例２
工程１において、水酸化カルシウムの代わりに塩化カルシウム２５．４ｇを添加したこと以外は、実施例１同様にして、フッ化カルシウムを含む固体を得た。フッ素含有水中の全フッ素量に対するカルシウムの添加量は０．９８モル当量であった。
【００６３】
実施例３
工程１において、水酸化カルシウムの代わりに炭酸カルシウム２３．１ｇを添加したこと以外は、実施例１と同様にして、フッ化カルシウムを含む固体を得た。フッ素含有水中の全フッ素量に対するカルシウムの添加量は０．９８モル当量であった。
【００６４】
比較例１
工程３および４を行わず、工程２において得られたフッ化カルシウムを含む固体を最終生成物とした。フッ素含有水中の全フッ素量に対するカルシウムの添加量は０．９８モル当量であった。
【００６５】
比較例２
フッ素含有水に添加するカルシウム塩を、塩化カルシウム２５．４ｇとしたこと以外は、比較例１と同様にして、フッ化カルシウムを含む固体を得た。フッ素含有水中の全フッ素量に対するカルシウムの添加量は０．９８モル当量であった。
【００６６】
比較例３
フッ素含有水（Ｆ濃度：１６６５ｍｇ／Ｌ）２９ｋｇに水酸化カルシウムを８８．６ｇ添加したこと以外は、比較例１と同様にして、フッ化カルシウムを含む固体を得た。フッ素含有水中の全フッ素量に対するカルシウム塩の添加量は１．５モル当量であった。
【００６７】
比較例４
フッ素含有水に添加するカルシウム塩を、炭酸カルシウム２３．１ｇとしたこと以外は、比較例１と同様にして、フッ化カルシウムを含む固体を得た。フッ素含有水中の全フッ素量に対するカルシウムの添加量は０．９８モル当量であった。
【００６８】
（評価）
上記実施例１〜３ならびに比較例１〜４で得られたフッ化カルシウムを含む固体の成分を蛍光Ｘ線分析法にて測定した。結果を、下記表に示す。
【００６９】
【表１】
0006623673.tif 000002
【００７０】
上記の結果から、本発明の方法により得られたフッ化カルシウムは、９０質量％以上の純度を有することが確認された。
【産業上の利用可能性】
【００７１】
本発明によれば、フッ素含有溶液に含まれるフッ素濃度が低い溶液からも比較的簡便なプロセスを用いて高純度のフッ化カルシウムを得ることができる。